【手続補正書】
【提出日】平成18年9月8日(2006.9.8)
【手続補正１】
【補正対象書類名】特許請求の範囲
【補正対象項目名】全文
【補正方法】変更
【補正の内容】
【特許請求の範囲】
【請求項１】
患者に接触しかつ患者に呼吸用気体を供給するクッションを保持するマスク殻と、
マスク殻に取付けられた第１の連結装置と、
患者にマスクを固定する少なくとも１つのストラップを含むヘッドギアに接続可能な第２の連結装置と、
第１の連結装置と第２の連結装置とを着脱可能に接続して、第２の連結装置を同時に複数の回転軸で第１の連結装置に回転可能に接続する手段とを備え、第１の連結装置と第２の連結装置とは、協働してマスク殻とヘッドギアとを着脱可能に連結することを特徴とする気体供給マスク。
【請求項２】
第１の連結装置は、マスク殻に一体に形成された雌型連結装置であり、第２の連結装置は、雌型連結装置に対応する雄型連結装置である請求項１に記載の気体供給マスク。
【請求項３】
第１の連結装置は、一対の並行な壁と、並行な壁に支持された湾曲する切欠付壁とを備える請求項２に記載の気体供給マスク。
【請求項４】
第２の連結装置は、ヘッドギアストラップを収容する長孔を有する長枠を備えた請求項３に記載の気体供給マスク。
【請求項５】
第２の連結装置は、
回転軸を有しかつ長枠から延伸する軸部と、軸部の末端に接続された膨出部とを備え、
第１の連結装置の切欠付壁内に挿入した膨出部を軸部の回転軸の周囲に角度３６０度回転できる請求項４に記載の気体供給マスク。
【請求項６】
第１の連結装置は、マスク殻に凹部として形成され、第１の連結装置は、マスク殻に一体に形成された雄型連結装置である請求項１に記載の気体供給マスク。
【請求項７】
第２の連結装置は、雄型連結装置に対応する雌型連結装置である請求項６に記載の気体供給マスク。
【請求項８】
第１の連結装置は、可撓性を有する軸部と、可撓性を有する軸部の端部に取付けられる円錐軸とを備える請求項７に記載の気体供給マスク。
【請求項９】
第２の連結装置は、ヘッドギアストラップを収容する開口部を有する長枠を備えた請求項８に記載の気体供給マスク。
【請求項１０】
第２の連結装置は、長枠から延伸しかつ円錐軸を回転可能に収容する対向壁を有する支軸を備える請求項９に記載の気体供給マスク。
【請求項１１】
患者に接触しかつ患者に呼吸用気体を供給するクッションを保持するマスク殻と、
マスク殻に取付けられた第１の連結装置と、
着脱可能に第１の連結装置に接続する第１の部分と患者にマスクを固定する少なくとも１つのストラップを有するヘッドギアに接続される第２の部分とを有する第２の連結装置とを備え、
第１の連結装置及び第２の連結装置は、第２の連結装置を同時に複数の回転軸で第１の連結装置に回転可能に接続し、第１の連結装置と第２の連結装置とは、協働してマスク殻とヘッドギアとを着脱可能に連結することを特徴とする気体供給マスク。
【請求項１２】
第１の連結装置は、マスク殻に一体に形成された雌型連結装置であり、第２の連結装置は、雌型連結装置に対応する雄型連結装置である請求項１１に記載の気体供給マスク。
【請求項１３】
第１の連結装置は、一対の並行な壁と、並行な壁に支持される切欠付壁とを備える請求項１２に記載の気体供給マスク。
【請求項１４】
第２の連結装置は、ストラップを収容する開口部を有する長枠を備えた請求項１３に記載の気体供給マスク。
【請求項１５】
第２の連結装置は、
回転軸を有しかつ長枠から延伸する軸部と、軸部の末端に接続された膨出部とを備え、
第１の連結装置の切欠付壁内に挿入した膨出部を軸部の回転軸の周囲に角度３６０度回転できる請求項１４に記載の気体供給マスク。
【請求項１６】
第１の連結装置は、マスク殻に凹部として形成される請求項１１に記載の気体供給マスク。
【請求項１７】
第１の連結装置は、マスク殻に一体に形成された雄型連結装置であり、第２の連結装置は、雄型連結装置に対応する雌型連結装置である請求項１１に記載の気体供給マスク。
【請求項１８】
第１の連結装置は、可撓性を有する軸部と、可撓性を有する軸部の端部に取付けられる円錐軸とを備える請求項１７に記載の気体供給マスク。
【請求項１９】
第２の連結装置は、ストラップを収容する開口部を有する長枠を備えた請求項１８に記載の気体供給マスク。
【請求項２０】
第２の連結装置は、長枠から延伸しかつ円錐軸を回転可能に収容する対向壁を有する支軸を備える請求項１９に記載の気体供給マスク。
【請求項２１】
(a)下記(1)〜(3)を有する気体供給マスクと、
(1)患者に接触しかつ患者に呼吸用気体を供給するクッションを保持するマスク殻、
(2)マスク殻に取付けられた第１の連結装置、
(3)第１の連結装置に着脱可能に接続された第２の連結装置、
(b)ヘッドギアを第２の連結装置に接続する連結ストラップを有して、患者にマスクを固定するヘッドギアとを備え、
第２の連結装置を同時に複数の回転軸で第１の連結装置に回転可能に接続して第１の連結装置と第２の連結装置とを形成し、第１の連結装置と第２の連結装置とは、協働してマスク殻とヘッドギアとを着脱可能に連結することを特徴とする患者界面材組立体。
【請求項２２】
第１の連結装置は、マスク殻に一体に形成された雌型連結装置であり、第２の連結装置は、雌型連結装置に対応する雄型連結装置である請求項２１に記載の患者界面材組立体。
【請求項２３】
第１の連結装置は、一対の並行な壁と、並行な壁に支持される切欠付壁とを備える請求項２２に記載の患者界面材組立体。
【請求項２４】
第２の連結装置は、ストラップを収容する開口部を有する長枠を備えた請求項２３に記載の患者界面材組立体。
【請求項２５】
第２の連結装置は、
回転軸を有しかつ長枠から延伸する軸部と、軸部の端部に接続された膨出部とを備え、
第１の連結装置の切欠付壁内に挿入した膨出部を軸部の回転軸の周囲に角度３６０度回転できる請求項２４に記載の患者界面材組立体。
【請求項２６】
第１の連結装置は、マスク殻に一体に形成された雄型連結装置であり、第２の連結装置は、雄型連結装置に対応する雌型連結装置である請求項２１に記載の患者界面材組立体。
【請求項２７】
第１の連結装置は、可撓性を有する軸部と、軸部の端部に取付けられる円錐軸とを備える請求項２６に記載の患者界面材組立体。
【請求項２８】
第２の連結装置は、ストラップを収容する開口部を有する長枠を備えた請求項２７に記載の患者界面材組立体。
【請求項２９】
第２の連結装置は、長枠から延伸しかつ円錐軸を回転可能に収容する対向壁を有する支軸を備える請求項２８に記載の患者界面材組立体。
【請求項３０】
連結ストラップに連結された固定鉤止装置を備える請求項２１に記載の患者界面材組立体。
【請求項３１】
(a)気体流を発生する気体流発生装置と、
(b)気体流発生装置に作動接続される第１の端部と第２の端部とを有し、患者呼吸用気体供給装置の作動の間に気体流発生装置からの気体流を搬送する導管と、
(c)下記(1)〜(3)を有する気体供給マスクと、
(1)患者に接触しかつ患者に呼吸用気体を供給するクッションを保持するマスク殻、
(2)マスク殻に取付けられた第１の連結装置、
(3)第１の連結装置に着脱可能に接続される第２の連結装置、
(d)ヘッドギアを気体供給マスクの第２の連結装置に接続する連結ストラップを有して、患者にマスクを固定するヘッドギアとを備え、
第２の連結装置を同時に複数の回転軸で第１の連結装置に回転可能に接続して第１の連結装置及び第２の連結装置を形成し、第１の連結装置と第２の連結装置とは、協働してマスク殻とヘッドギアとを着脱可能に連結することを特徴とする患者呼吸用気体供給装置。
【請求項３２】
第１の連結装置は、マスク殻に一体に形成された雌型連結装置であり、第２の連結装置は、雌型連結装置に対応する雄型連結装置である請求項３１に記載の患者呼吸用気体供給装置。
【請求項３３】
第１の連結装置は、一対の並行な壁と、並行な壁の端部に支持される切欠付壁とを備える請求項３２に記載の患者呼吸用気体供給装置。
【請求項３４】
第２の連結装置は、ストラップを収容する開口部を有する長枠を備えた請求項３３に記載の患者呼吸用気体供給装置。
【請求項３５】
第２の連結装置は、
長枠から延伸する軸部と、軸部の端部に接続された膨出部とを備え、
膨出部は、第１の連結装置の切欠付壁内に挿入される請求項３４に記載の患者呼吸用気体供給装置。
【請求項３６】
第１の連結装置は、マスク殻に一体に形成された雄型連結装置であり、第２の連結装置は、雄型連結装置に対応する雌型連結装置である請求項３１に記載の患者呼吸用気体供給装置。
【請求項３７】
第１の連結装置は、可撓性を有する軸部と、可撓性を有する軸部の端部に取付けられる円錐軸とを備える請求項３６に記載の患者呼吸用気体供給装置。
【請求項３８】
第２の連結装置は、ストラップを収容する開口部を有する長枠を備えた請求項３７に記載の患者呼吸用気体供給装置。
【請求項３９】
第２の連結装置は、長枠から延伸しかつ円錐軸を回転可能に収容する対向壁を有する支軸を備える請求項３８に記載の患者呼吸用気体供給装置。
【請求項４０】
更に、連結ストラップに連結される固定鉤止装置を備える請求項３１に記載の患者呼吸用気体供給装置。
【請求項４１】
気体供給マスクは、鼻マスク又は鼻及び口用フェイスマスクである請求項３１に記載の患者呼吸用気体供給装置。
【請求項４２】
複数の回転軸は、３つの回転軸を備える請求項１又は１１に記載の気体供給マスク。
【請求項４３】
複数の回転軸は、３つの回転軸を備える請求項２１に記載の患者界面材組立体。
【請求項４４】
複数の回転軸は、３つの回転軸を備える請求項３１に記載の患者呼吸用気体供給装置。